(57)【要約】      （修正有）【課題】取扱いを容易にすることが可能なフィルター付きガスケットを提供する。【解決手段】フィルター付きガスケット１は、軸に密封接触するループ状の接触部材４と、接触部材に内縁が固定された板６とを備える。板は、メッシュが形成された平板状のフィルター１０と、フィルターの外側にあり、フィルターが配置された平面とは異なる平面に配置された平板状の外縁部１２と、フィルターと外縁部との間に介在し、フィルターが配置された平面に対して傾斜した傾斜部１４とを備える。接触部材には、フィルターが配置された平面に対して垂直な方向に突出する複数の突起４Ｂが互いに間隔をおいて設けられている。【選択図】図１
2018204696.tif 000002
【特許請求の範囲】
【請求項１】
軸に密封接触するループ状の接触部材と、
前記接触部材に内縁が固定された板とを備え、
前記板は、
メッシュが形成された平板状のフィルターと、
前記フィルターの外側にあり、前記フィルターが配置された平面とは異なる平面に配置された平板状の外縁部と、
前記フィルターと前記外縁部との間に介在し、前記フィルターが配置された平面に対して傾斜した傾斜部とを備え、
前記接触部材には、前記フィルターが配置された平面に対して垂直な方向に突出する複数の突起が互いに間隔をおいて設けられていることを特徴とするフィルター付きガスケット。
【請求項２】
前記突起の端面には、凹凸が形成されていることを特徴とする請求項１に記載のフィルター付きガスケット。
【請求項３】
前記板における前記フィルターと前記傾斜部との間の部分にループ部が配置され、前記ループ部および前記板は、一体に形成されており、前記フィルターが配置された平面に対して垂直な方向に突出する複数の突起が互いに間隔をおいて、前記ループ部に一体に形成されていることを特徴とする請求項１または２に記載のフィルター付きガスケット。
【発明の詳細な説明】
【技術分野】
【０００１】
本発明は、フィルター付きガスケットに関する。
【背景技術】
【０００２】
流体が通る配管の内部にメッシュすなわちフィルターを備えるガスケットを装着して、配管内部の異物（例えば、塵埃、不純物）を濾過することが行われている（例えば特許文献１）。
【先行技術文献】
【特許文献】
【０００３】
【特許文献１】特開２００２−３９３９４号公報
【発明の概要】
【発明が解決しようとする課題】
【０００４】
ガスケットに使用されるフィルターは、なるべく薄いことが好ましい。しかし、薄いフィルターを有するガスケットであっても、その取扱いを容易にできることが望ましい。
【０００５】
そこで、本発明は、取扱いを容易にすることが可能なフィルター付きガスケットを提供することを目的とする。
【課題を解決するための手段】
【０００６】
本発明に係るフィルター付きガスケットの一態様は、軸に密封接触するループ状の接触部材と、前記接触部材に内縁が固定された板とを備え、前記板は、メッシュが形成された平板状のフィルターと、前記フィルターの外側にあり、前記フィルターが配置された平面とは異なる平面に配置された平板状の外縁部と、前記フィルターと前記外縁部との間に介在し、前記フィルターが配置された平面に対して傾斜した傾斜部とを備え、前記接触部材には、前記フィルターが配置された平面に対して垂直な方向に突出する複数の突起が互いに間隔をおいて設けられている。
【０００７】
この態様においては、板が、平板状のフィルターと平板状の外縁部とを接続する傾斜部を有するので、板が薄い場合であっても、フィルター付きガスケットの曲げ剛性を高めることが可能である。このため、フィルター付きガスケットの予期せぬ変形が抑制され、その取扱いを容易にすることが可能である。また、互いに間隔をおいて設けられている複数の突起が、ガスケットを取り付ける構造物へのガスケットの貼り付きを防止または抑制する。また、これらの突起は、例えば、フィルター付きガスケットの製造工程、搬送工程または設置工程においてガスケットを積み重ねた場合、ガスケットの相互の貼り付きを防止または抑制する。
【０００８】
好ましくは、前記突起の端面には、凹凸が形成されている。これらの微小な凹凸は、ガスケットを取り付ける構造物へのガスケットの貼り付きを防止または抑制することに役立ち、またガスケット相互の貼り付きを防止または抑制することに役立つ。
【０００９】
好ましくは、前記板における前記フィルターと前記傾斜部との間の部分にループ部が配置され、前記ループ部および前記板は、一体に形成されており、前記フィルターが配置された平面に対して垂直な方向に突出する複数の突起が互いに間隔をおいて、前記ループ部に一体に形成されている。この場合には、接触部材に設けられた突起に加えて、ループ部に設けられた突起が、構造物へのガスケットの貼り付きを防止または抑制し、ガスケットを積み重ねた場合、ガスケットの相互の貼り付きを防止または抑制する。また、ループ部を板と同じ材料から形成することができるので、製造コストを低減することが可能である。
【００１０】
本発明に係るフィルター付きガスケットの他の一態様は、軸に密封接触するループ状の接触部材と、前記接触部材に内縁が固定された板と、前記板に固定されたループ部とを備え、前記板は、メッシュが形成された平板状のフィルターと、前記フィルターの外側にあり、前記フィルターが配置された平面とは異なる平面に配置された平板状の外縁部と、前記フィルターと前記外縁部との間に介在し、前記フィルターが配置された平面に対して傾斜した傾斜部とを備え、前記ループ部は、前記板における前記フィルターと前記傾斜部との間の部分に固定され、前記接触部材と前記ループ部の少なくとも一方には、前記フィルターが配置された平面に対して垂直な方向に突出する複数の突起が互いに間隔をおいて設けられている。
【００１１】
この態様においては、板が、平板状のフィルターと平板状の外縁部とを接続する傾斜部を有するので、板が薄い場合であっても、フィルター付きガスケットの曲げ剛性を高めることが可能である。このため、フィルター付きガスケットの予期せぬ変形が抑制され、その取扱いを容易にすることが可能である。また、互いに間隔をおいて設けられている複数の突起が、ガスケットを取り付ける構造物へのガスケットの貼り付きを防止または抑制する。また、これらの突起は、例えば、フィルター付きガスケットの製造工程、搬送工程または設置工程においてガスケットを積み重ねた場合、ガスケットの相互の貼り付きを防止または抑制する。
【図面の簡単な説明】
【００１２】
【図１】本発明の実施の形態に係るフィルター付きガスケットを示す断面図である。
【図２】図１のフィルター付きガスケットの使用状態を示す図である。
【図３】図１のフィルター付きガスケットの平面図である。
【図４】図１のフィルター付きガスケットの底面図である。
【図５】図１のフィルター付きガスケットの接触部材の拡大断面図である。
【図６】図１のフィルター付きガスケットのループ部の拡大断面図である。
【図７】図１のフィルター付きガスケットを複数、積み重ねた状態を示す図である。
【図８】変形例のフィルター付きガスケットを複数、積み重ねた状態を示す図である。
【発明を実施するための形態】
【００１３】
以下、添付の図面を参照しながら本発明に係る実施の形態を説明する。
【００１４】
本発明の実施の形態に係るフィルター付きガスケットは、例えば、自動車の無段変速機（ＣＶＴ）、鉄道車両用ブレーキ制御弁、自動車の燃料噴射装置に接続される燃料供給管に使用されるが、これらの用途には限定されない。
【００１５】
図１および図２に示すように、本発明の実施の形態に係るフィルター付きガスケット１は、固定された円柱状の軸（例えばボス）２に密封接触する円ループ状の接触部材４と、接触部材４に内縁が固定された板６と、板６に固定されたループ部８とを備える。板６は、メッシュが形成された平板状のフィルター（スクリーン）１０と、フィルター１０の外側にあり、フィルター１０が配置された平面とは異なる平面に配置された平板状の外縁部１２と、フィルター１０と外縁部１２との間に介在し、フィルター１０が配置された平面に対して傾斜した傾斜部１４とを備える。
【００１６】
図１および図２は、フィルター付きガスケット１の左側部分のみを示す。図３および図４に示すように、板６は円形の輪郭を有し、接触部材４と同心に配置されている。板６のフィルター１０、外縁部１２および傾斜部１４は、互いに同心に配置されている。ループ部８もこれらと同心に配置されている。図１および図２にこれらの共通軸線Ｃを示す。
【００１７】
この実施の形態では、軸２は、設置の後は、回転も直線運動もせず、接触部材４は、軸２に対して相対移動することなく、軸２の外周面に密着する。接触部材４は、弾性体、例えばエラストマーから形成されている。接触部材４には、軸２の全周にわたってその外周面に密着するリップ４Ａが形成されている。図２は、リップ４Ａの軸２に接触していない状態を示し、軸２に接触するとリップ４Ａは弾性変形する。
【００１８】
板６は、剛体、例えば金属または樹脂から形成されている。板６のフィルター１０には、多数の貫通孔が形成されている。貫通孔は例えばプレス加工またはエッチングで形成することができる。図３および図４において、斜線はフィルター１０のメッシュ部分を示す。但し、貫通孔の形状は図３および図４には示されてはいない。
【００１９】
フィルター１０の内縁は、接触部材４に固定されている。固定の方式は限定されないが、例えば、下記の方式であってよい。図５に示すように、フィルター１０の内縁には、複数の貫通孔１０Ａが形成されている。貫通孔１０Ａは例えば等角間隔で配置されている。また、フィルター１０の最内縁には、プレス加工によって曲折部１０Ｂが形成されている。フィルター１０の内縁をプレス型に入れておき、接触部材４の材料であるエラストマーが、曲折部１０Ｂを含むフィルター１０の内縁を覆い、かつ貫通孔１０Ａに侵入するように、接触部材４をプレス成形する。エラストマーがフィルター１０の内縁を覆い、かつ貫通孔１０Ａを通じてフィルター１０の両面側のエラストマーがつながることにより、フィルター１０は強固に接触部材４に固定される。
【００２０】
ループ部８は、円環状の部材であり、弾性体、例えばエラストマーから形成されている。ループ部８は、板６におけるフィルター１０と傾斜部１４との間の部分に固定されており、板６の両面に配置されている。
【００２１】
ループ部８の固定の方式は限定されないが、例えば、下記の方式であってよい。図１および図２に示すように、フィルター１０と傾斜部１４との間には、フィルター１０と同一平面にある延長部１６がある。傾斜部１４は、この延長部１６と外縁部１２とを接続する。図６に示すように、延長部１６には、複数の貫通孔１６Ａが形成されている。貫通孔１６Ａは例えば等角間隔で配置されている。板６をプレス型に入れておき、ループ部８の材料であるエラストマーが、貫通孔１６Ａに侵入するように、ループ部８をプレス成形する。貫通孔１６Ａを通じて延長部１６の両面側のエラストマーがつながることにより、ループ部８は強固に板６に固定される。
【００２２】
図４から図６に示すように、接触部材４には、フィルター１０が配置された平面に対して垂直な方向に突出する複数の突起４Ｂが互いに間隔をおいて設けられており、ループ部８にも、フィルター１０が配置された平面に対して垂直な方向に突出する複数の突起８Ａが互いに間隔をおいて設けられている。図４に示すように、４つの突起４Ｂが等角間隔で配置され、４つの突起８Ａが等角間隔で配置されているが、突起の数および配置は図示に限られない。また突起の形状も図示に限られない。
【００２３】
図２に示すように、フィルター付きガスケット１は、板６の外縁部１２が構造物Ｓに接合された状態で使用される。図２において、矢印は、流体、例えばオイルの流れる方向を示す。フィルター１０は、流体中の異物（例えば、塵埃、不純物）を濾過する。フィルター１０を通過した液体は、軸２と構造物Ｓの隙間を通り抜ける。
【００２４】
この実施の形態においては、板６が、平板状のフィルター１０と平板状の外縁部１２とを接続する傾斜部１４を有するので、板６が薄い場合であっても、フィルター付きガスケット１の曲げ剛性を高めることが可能である。このため、フィルター付きガスケット１の予期せぬ変形が抑制され、その取扱いを容易にすることが可能である。
【００２５】
また、流体の力を受けて板６が大きく変形したとしても、等間隔に配置された複数の突起４Ｂ，８Ａが、ガスケット１を取り付ける構造物Ｓへの接触部材４およびループ部８の面接触を防止し、これらの構造物Ｓへの貼り付きを防止または抑制する。仮に複数の突起８Ａが構造物Ｓに接触しても、突起８Ａ同士の間を流体が通過することができる。
【００２６】
また、これらの突起４Ｂ，８Ａは、例えば、フィルター付きガスケット１の製造工程、搬送工程または設置工程において、図７に示すように、ガスケット１を積み重ねた場合、ガスケット１の相互の貼り付きを防止または抑制する。
【００２７】
これらの突起４Ｂ，８Ａの端面（すなわちガスケット１を積み重ねたときに、他のガスケット１に接触する面）には、微小な凹凸（例えばドットパターン）が形成されていると好ましい。これらの微小な凹凸は、ガスケット１を取り付ける構造物Ｓへのガスケット１の貼り付きを防止または抑制することに役立ち、またガスケット１相互の貼り付きを防止または抑制することに役立つ。
【００２８】
変形例
以上、本発明の実施形態を説明したが、上記の説明は本発明を限定するものではなく、本発明の技術的範囲において、構成要素の削除、追加、置換を含む様々な変形例が考えられる。
【００２９】
例えば、図８に示す変形例のように、突起４Ｂ，８Ａと反対側に突起４Ｃ，８Ｂを設けてもよい。突起４Ａ，４Ｂの両方を接触部材４に設けてもよいし、突起８Ａ，８Ｂの両方をループ部８に設けてもよい。
【００３０】
上記の実施形態では、接触部材４とループ部８の両方に突起が設けられているが、接触部材４とループ部８の一方に突起を設けてもよい。さらにはループ部８自体がなくてもよい。
【００３１】
上記の実施形態では、ループ部８および板６は、異なる材料から形成されている別個の部材である。しかし、ループ部８および板６は、例えば樹脂から一体に形成され、突起８Ａ（および／または８Ｂ）は、ループ部８に一体に形成されていてもよい。この場合には、ループ部８を板６と同じ材料から形成することができるので、製造コストを低減することが可能である。
【００３２】
上記の実施形態では、軸２の断面、接触部材４の形状、ループ部８の形状、板６の輪郭、および板６を構成する各部分の輪郭は円形であるが、これらの形状は円形でなくてもよく、例えば矩形、正方形であってもよい。
【符号の説明】
【００３３】
１  フィルター付きガスケット
２  軸
４  接触部材
４Ａ  リップ
４Ｂ，４Ｃ  突起
６  板
８  ループ部
８Ａ，８Ｂ  突起
１０  フィルター
１２  外縁部
１４  傾斜部
１０Ａ  貫通孔
１０Ｂ  曲折部
１６  延長部
１６Ａ  貫通孔
Ｓ  構造物
【図１】
2018204696.tif 000003
【図２】
2018204696.tif 000004
【図３】
2018204696.tif 000005
【図４】
2018204696.tif 000006
【図５】
2018204696.tif 000007
【図６】
2018204696.tif 000008
【図７】
2018204696.tif 000009
【図８】
2018204696.tif 000010